(57)【要約】  棚を簡便に設置及び解体することができ、ポストに対して簡便で安定的に結束することができる開閉式棚固定クランプに関し、棚（１）の両側枠を構成するワイヤ（３）に締結され、ポストが締結される本体（１００）と、本体の一側にヒンジを通じて締結され、ポスト（５）の全面を囲んで固定する固定カバー（３００）と、本体の他側にヒンジを通じて締結され、固定カバーを本体側に加圧してポストに棚をより安定的に固定することができる固定レバー（５００）と、を含むことを特徴とする。
2020519814.tif 000002
【特許請求の範囲】
【請求項１】
棚（１）の両側枠を構成するワイヤ（３）に締結され、ポストが締結される本体（１００）と、
本体の一側にヒンジを通じて締結され、ポスト（５）の全面を囲んで固定する固定カバー（３００）と、
本体の他側にヒンジを通じて締結され、固定カバーを本体側に加圧してポストに棚をより安定的に固定することができるようにする固定レバー（５００）と、を含むことを特徴とする開閉式棚固定クランプ。
【請求項２】
前記本体（１００）は棚（１）の両側枠を構成するワイヤ（３）に締結され、ポストが締結されるもので、上・下部に棚のワイヤが脱去可能に嵌め込まれるように形成された嵌込溝（１１１）を有する複数の第１固定ブロック（１１０）と、
複数の第１固定ブロック（１１０）の間で前面にポストが締結されることができるように半円形に形成されるポスト挿入部（１３０）と、
ポスト挿入部の両端に形成され、ヒンジを通じて蝶番形式で固定カバー（３００）と固定レバー（５００）が締結される第２固定ブロック（１５０）と、
本体のポスト挿入部に締結されて棚がポストで下降することを防止するパッド（１７０）と、で構成されたことを特徴とする請求項１に記載の開閉式棚固定クランプ。
【請求項３】
前記嵌込溝（１１１）の前面にワイヤ固定突起（１１３）を形成してポストが嵌め込まれていない状態でもワイヤの離脱を防止して棚の位置を調整する時使用者に便利に位置を調節することができるようにし、
第１固定ブロック（１１０）の中央部にはポストの一部が挿入される挿入部（１１５）をさらに形成して、前記嵌込溝に締結される棚のワイヤと密着されてワイヤが嵌込溝から離脱することを防止することができるようにしたことを特徴とする請求項１に記載の開閉式棚固定クランプ。
【請求項４】
前記固定カバー（３００）は本体（１００）の一側にヒンジ（１０）を通じて締結され、ポスト（５）の全面を囲んで固定するもので、ポストが締結されることができるように半円形に形成されるポスト挿入部（３１１）が形成された本体（３１０）と、
本体の一側に形成され、本体（１００）の固定ブロック（１５０）の中央に形成された挿入部（１５１）に挿入されてヒンジを通じて本体に締結されるとともに回動することができるようにする締結ブロック（３３０）と、
本体の他側に形成され、固定レバー（５００）に形成された密着突起が挿入されて固定レバーによって本体側に引っ張られてポストを安定的に固定することができるようにする密着溝（３５０）と、
密着溝の一側に形成され、固定レバー（５００）に形成された第２二重ロック突起が締結されて、固定レバーによって本体側に引っ張られてポストを安定的に固定することができるようにする第１二重ロック突起（３７０）と、
ポスト挿入部に締結されて棚がポストで下降することを防止するパッド（３９０）と、で構成されたことを特徴とする請求項１に記載の開閉式棚固定クランプ。
【請求項５】
前記固定レバー（５００）は、本体（１００）の他側にヒンジを通じて締結され、固定カバー（３００）を本体側に加圧してポスト（５）に棚（１）をより安定的に固定することができるようにするもので、前記固定レバー（５００）は本体（１００）の他側にヒンジを通じて締結され、固定カバー（３００）を本体側に加圧してポスト（５）に棚（１）をより安定的に固定することができるようにするもので、本体（５１０）の一側に形成され、本体（１００）の固定ブロック（１５０）の中央に形成された挿入部（１５１）に挿入されてヒンジを通じて本体に締結されるとともに回動することができるようにする締結ブロック（５３０）と、
挿入溝の一側に形成され、固定カバー（３００）に形成された密着溝（３５０）に挿入されて固定カバーを本体側に堅固に密着させてポストを安定的に固定することができるようにするとともに、固定カバー（３００）が本体（１００）に安定的に締結されるようにする密着突起（５５０）と、
本体に形成され、固定カバー（３００）に形成された第１二重ロック突起（３７０）に締結され、固定レバーを本体側に引いてポストを安定的に固定することができるようにするとともに、固定カバー（３００）が本体（１００）に安定的に締結されて、外力によって自然に解けることを防止して二重ロック役割を果たす第２二重ロック突起（５７０）と、で構成されたことを特徴とする請求項１に記載の開閉式棚固定クランプ。
【発明の詳細な説明】
【技術分野】
【０００１】
本発明は棚を固定する開閉式棚固定クランプに関し、より詳しくは、棚を簡便に設置及び解体することができ、ポストに対して簡便で安定的に結束されることができる開閉式棚固定クランプに関する。
【背景技術】
【０００２】
一般に、交差する２〜３つのパイプを互いに固定したり、パイプに棚などを設置する際にクランプを用いる。このようなクランプは、パイプにクランプを締め付ける方法によってねじ型とレバー型に分けることができる。大体ねじ型は把持力は強いが、設置方法が若干不便な欠点があり、相対的にレバー型は設置方法は簡便であるが、把持力が若干弱いという短所がある。
【０００３】
図１は従来用いられているレバー型クランプの一例として、韓国公開実用新案第２０−２００９−７３２５号に提案された棚固定装置を紹介したのである。
【０００４】
前記棚固定装置は、内側面に支持台２０の外側面の一部を囲む第１密着溝１２０が形成され、外側面には棚フレーム１５が固定される折曲片１１０が形成されている本体部１００と、内側面には前記支持台２０の外側面の残り一部を囲む第２密着溝２１０が形成され、外側面には突出段差２２０が形成され、前記本体部１００に回動可能に結合される開閉部２００と、前記突出段差２２０に挟まれて開閉部２００を固定する固定取っ手３１０と、前記固定取っ手３１０及び前記本体１００とそれぞれ回動可能に結合される取っ手連結部３２０で構成された固定部３００と、を含むことを特徴とする。
【０００５】
このような棚固定装置の設置方法は、前記本体部１００と開閉部２００で支持台２０の外周面を囲んだ状態で突出段差２２０の間に取っ手連結部３２０を挟んだ後、固定取っ手３１０を回転させれば前記突出段差２２０の陷沒部２２０ａに固定取っ手３１０の係止部３１４が係止されながら前記本体部１００と開閉部２００とが互いに堅固に締結される。
【０００６】
この時、前記係止部３１４は偏心構造を成しており、前記本体部１００と開閉部２００の把持力は前記係止部３１４の偏心距離（ｅｃｃｅｎｔｒｉｃ  ｄｉｓｔａｎｃｅ）に比例する。
【０００７】
しかしながら、このような構造の棚固定装置は、図１に示すように、支持台２０に設置された状態で固定取っ手３１０が開閉部２００の外に突出されているため、使用過程で前記固定取っ手３１０に他の物がかかる虞があり、このようになると、使用者の意志に関係なく前記固定取っ手３１０がそり返りながら本体部１００と開閉部２００が互いに開放される可能性が高い。
【０００８】
また、前記本体部１００と開閉部２００が固定取っ手３１０の係止部３１４と突出段差２２０との接触のみによって支持されるため、全体的に締結構造が非常に弱い。そこで、前記支持台２０に対する把持力を向上させるために、前記係止部３１４の偏心距離を大きくすれば、前記本体部１００と開閉部２００との間にはそれだけ強い反撥力が作用するため、使用過程で繰り返し的に衝撃が及ぼすと固定取っ手３１０が少しずつ解けながら遂に本体部１００と開閉部２００が自然に開かれてしまう虞がある。
【先行技術文献】
【特許文献】
【０００９】
【特許文献１】大韓民国公開実用新案第２０−２００９−７３２５号明細書
【発明の概要】
【発明が解決しようとする課題】
【００１０】
本発明は前述した従来技術の問題点を解決するために案出されたもので、本発明の目的は棚を簡便に設置及び解体することができ、安定的に支持して捻れることを防止することができる開閉式棚固定クランプを提供することにその目的がある。
【００１１】
また、本発明は棚固定クランプをポストに結合させる場合にも、堅固に結合されることができ、容易に着脱が可能な開閉式棚固定クランプを提供することにその目的がある。
【００１２】
また、本発明は従来の特許と違い、即ち、従来の特許のクランプは  ４つの締結部と、３つのヒンジで構成されるが、発明は３つの締結部と２つのヒンジで構成されて、生産及び組み立て過程がより簡単になり、使用時に容易に着脱が可能な開閉式棚固定クランプを提供することにその目的がある。
【課題を解決するための手段】
【００１３】
前記目的を達するために本発明の一実施例による本発明の開閉式棚固定クランプは、
【００１４】
棚１の両側枠を構成するワイヤ３に締結され、ポストが締結される本体１００と、
【００１５】
本体の一側にヒンジを通じて締結され、ポスト５の全面を囲んで固定する固定カバー３００と、
【００１６】
本体の他側にヒンジを通じて締結され、固定カバーを本体側に加圧してポストに棚をより安定的に固定することができるようにする固定レバー５００と、を含むことを特徴とする。
【００１７】
この時、前記本体１００は、棚１の両側枠を構成するワイヤ３に締結され、ポストが締結されるもので、上・下部に棚のワイヤが脱去可能に嵌め込まれるように形成された嵌込溝１１１を有する複数の第１固定ブロック１１０と、
【００１８】
複数の第１固定ブロック１１０の間で前面にポストが締結されることができるように半円形に形成されるポスト挿入部１３０と、
【００１９】
ポスト挿入部の両端に形成され、ヒンジを通じて蝶番形式で固定カバー３００と固定レバー５００が締結される第２固定ブロック１５０と、
【００２０】
本体のポスト挿入部に締結されて、棚がポストで下降することを防止するパッド１７０と、で構成されたことを特徴とする。
【００２１】
そして、前記嵌込溝１１１の前面にワイヤ固定突起１１３を形成して、ポストが嵌め込まれない状態でもワイヤの離脱を防止して、棚の位置を調整する時、使用者に便利に位置を調節することができるようにし、
【００２２】
第１固定ブロック１１０の中央部にはポストの一部が挿入される挿入部１１５をさらに形成して、前記嵌込溝に締結される棚のワイヤと密着されてワイヤが嵌込溝で離脱することを防止することができるようにしたことを特徴とする。
【００２３】
そして、前記固定カバー３００は本体１００の一側にヒンジ１０を通じて締結され、ポスト５の前面を囲んで固定するもので、ポストが締結されることができるように半円形に形成されるポスト挿入部３１１が形成された本体３１０と、
【００２４】
本体の一側に形成されて、本体１００の固定ブロック１５０の中央に形成された挿入部１５１に挿入され、ヒンジを通じて本体に締結されるとともに回動することができるようにする締結ブロック３３０と、
【００２５】
本体の他側に形成され、固定レバー５００に形成された密着突起が挿入されて、固定レバーによって本体側に引っ張られてポストを安定的に固定することができるようにする密着溝３５０と、
【００２６】
密着溝の一側に形成され、固定レバー５００に形成された第２二重ロック突起が締結されて、固定レバーによって本体側に引っ張られてポストを安定的に固定することができるようにする第１二重ロック突起３７０と、
【００２７】
ポスト挿入部に締結され、棚がポストで下降することを防止するパッド３９０と、で構成されたことを特徴とする。
【００２８】
そして前記固定レバー５００は、本体１００の他側にヒンジを通じて締結され、固定カバー３００を本体側に加圧してポスト５に棚１をより安定的に固定するようにするもので、前記固定レバー５００は本体１００の他側にヒンジを通じて締結され、固定カバー３００を本体側に加圧してポスト５に棚１をより安定的に固定することができるようにするもので、本体５１０の一側に形成され、本体１００の固定ブロック１５０の中央に形成された挿入部１５１に挿入されてヒンジを通じて本体に締結されるとともに回動することができるようにする締結ブロック５３０と、
【００２９】
挿入溝の一側に形成され、固定カバー３００に形成された密着溝３５０に挿入されて、固定カバーを本体側に堅固に密着させてポストを安定的に固定することができるようにするとともに固定カバー３００が本体１００に安定的に締結されるようにする密着突起５５０と、
【００３０】
本体に形成され、固定カバー３００に形成された第１二重ロック突起３７０に締結されて固定レバーを本体側に引いてポストを安定的に固定することができるようにするとともに固定カバー３００が本体１００に安定的に締結されて外力によって自然に解けることを防止して二重ロック役割を果たす第２二重ロック突起５７０と、で構成されたことを特徴とする。
【発明の効果】
【００３１】
本発明によれば、本発明の開閉式棚固定クランプによれば、ポストの設置状態を解除しなくても棚固定クランプをポストに容易に設置及び解体することができるという効果を奏する。
【００３２】
また、本発明は棚固定クランプをポストに結合させる場合にも二重の固定レバーによってより堅固に結合することができ、容易に分離及び結合させることができるという効果を奏する。
【００３３】
本発明の明細書で具体的に言及されない効果であっても、本発明の技術的特徴によって期待される暫定的な効果は本発明の明細書に記載されたように取り扱うべきである。
【図面の簡単な説明】
【００３４】
【図１】従来のクランプを示した斜視図である。
【図２】本発明の棚固定クランプを示した断面図である。
【図３】本発明の棚固定クランプを示した断面図である。
【図５】本発明の棚固定クランプの締結過程を示した斜視図である。
【図６】本発明の棚固定クランプの締結過程を示した斜視図である。
【図７】本発明の棚固定クランプの締結過程を示した斜視図である。
【図８】本発明の棚固定クランプが締結された状態を示した斜視図である。
【図９】本発明の棚固定クランプが締結された状態を示した斜視図である。
【００３５】
添付された図面は本発明の技術的思想に対する理解に役立つように、参考として例示的に示したものであることを明らかにし、それによって本発明の権利範囲が制限されるのではない。
【発明を実施するための形態】
【００３６】
本明細書及び請求範囲で用いる用語や単語は、通常または辞書的意味に限定して解釈されてはならなく、「発明者は自分の発明を最も最善な方法で説明するために用語の概念を適切に定義することができる」という原則に即して本発明の技術的思想に符合する意味と概念に解釈すべきである。
【００３７】
また、本明細書に記載された実施例及び図面に示した構成は、本発明の好ましい実施例に過ぎず、本発明の技術的思想を全部代弁するのではないので、本出願時点でこれらを代替することができる多様な均等物と変形例があり得ることを理解すべきである。
【００３８】
本発明の要旨を不必要に曖昧にする虞があると判断される公知機能及び構成の詳細な記述は省略する。
【００３９】
以下、添付した図面を参照して本発明の好ましい実施例を詳しく説明すれば次の通りである。
【００４０】
本発明は、図３〜図９に添付した図面のように、棚１の両側枠を構成するワイヤ３に締結され、ポストが締結される本体１００と、本体の一側にヒンジを通じて締結され、ポスト５の全面を囲んで固定する固定カバー３００と、本体の他側にヒンジを通じて締結され、固定カバーを本体側に加圧してポストに棚をより安定的に固定することができるようにする固定レバー５００と、を含む。
【００４１】
前記本体１００は、棚１の両側枠を構成するワイヤ３に締結され、ポストが締結されるもので、上・下部に棚のワイヤが脱去可能に嵌め込まれるように形成された嵌込溝１１１を有する複数の第１固定ブロック１１０と、複数の第１固定ブロック１１０の間で前面にポストが締結されることができるように半円形に形成されるポスト挿入部１３０と、ポスト挿入部の両端に形成され、ヒンジを通じて蝶番形式で固定カバー３００と固定レバー５００が締結される第２固定ブロック１５０と、本体のポスト挿入部に締結されて棚がポストで下降することを防止するパッド１７０と、で構成される。
【００４２】
この時、前記嵌込溝は棚の内部から外部にワイヤに締結することができるように形成されるとともに前面にワイヤ固定突起１１３を形成してポストが嵌め込まれない状態でもワイヤの離脱を防止して、棚の位置を調整する時、使用者に便利に位置を調節することができるようにし、第１固定ブロック１１０の中央部にはポストの一部が挿入される挿入部１１５をさらに形成して、前記嵌込溝に締結される棚のワイヤと密着されてワイヤが嵌込溝で離脱することを防止することができるようにした。
【００４３】
そして、前記パッドはポスト挿入部に第１二重ロック突起を利用して嵌め込んで締結するか或は接着方式を通じて締結することができる。
【００４４】
前記固定カバー３００は本体１００の一側にヒンジ１０を通じて締結され、ポスト５の全面を囲んで固定するもので、ポストが締結されることができるように半円形に形成されるポスト挿入部３１１が形成された本体３１０と、本体の一側に形成されて、本体１００の固定ブロック１５０の中央に形成された挿入部１５１に挿入されてヒンジを通じて本体に締結されるとともに回動することができるようにする締結ブロック３３０と、本体の他側に形成され、固定レバー５００に形成された密着突起が挿入されて、固定レバーによって本体側に引っ張られてポストを安定的に固定することができるようにする密着溝３５０と、密着溝の一側に形成され、固定レバー５００に形成された第２二重ロック突起が締結されて、固定レバーによって本体側に引っ張られてポストを安定的に固定することができるようにする第１二重ロック突起３７０と、ポスト挿入部に締結されて、棚がポストで下降することを防止するパッド３９０と、で構成される。
【００４５】
前記固定レバー５００は本体１００の他側にヒンジを通じて締結され、固定カバー３００を本体側に加圧してポスト５に棚１をより安定的に固定することができるようにするもので、前記固定レバー５００は本体１００の他側にヒンジを通じて締結され、固定カバー３００を本体側に加圧してポスト５に棚１をより安定的に固定することができるようにするもので、本体５１０の一側に形成され、本体１００の固定ブロック１５０の中央に形成された挿入部１５１に挿入されてヒンジを通じて本体に締結されるとともに回動することができるようにする締結ブロック５３０と、挿入溝の一側に形成され、固定カバー３００に形成された密着溝３５０に挿入されて固定カバーを本体側に堅固に密着させてポストを安定的に固定することができるようにするとともに固定カバー３００が本体１００に安定的に締結されるようにする密着突起５５０と、本体に形成され、固定カバー３００に形成された第１二重ロック突起３７０に締結されて、固定レバーを本体側に引いてポストを安定的に固定することができるようにするとともに固定カバー３００が本体１００に安定的に締結されて外力によって自然に解けることを防止して二重ロック役割を果たす第２二重ロック突起５７０と、で構成される。
【００４６】
以上で説明した本発明は前述した実施例及び添付された図面によって限定されるのではなく、本発明の技術的思想を逸脱しない範囲内で様々な置換、変形及び変更することができるということは本発明が属する技術分野において通常の知識を有する者にとって明白である。
【符号の説明】
【００４７】
１００：本体  
１１０：第１固定ブロック
１１１：  嵌込溝  
１１３：ワイヤ固定突起
１１５：ポスト挿入部
１３０：ポスト挿入部  
１５０：第２固定ブロック
１５０：挿入部  
１７０：パッド
３００：固定カバー  
３１０：本体
３１１：ポスト挿入部  
３３０：締結ブロック
３５０：密着溝  
３７０：第１二重ロック突起
５００：固定レバー  
５１０：本体
５３０：締結ブロック  
５５０：密着突起
５７０：第２二重ロック突起
【図１】
2020519814.tif 000003
【図２】
2020519814.tif 000004
【図３】
2020519814.tif 000005
【図４】
2020519814.tif 000006
【図５】
2020519814.tif 000007
【図６】
2020519814.tif 000008
【図７】
2020519814.tif 000009
【図８】
2020519814.tif 000010
【図９】
2020519814.tif 000011
【国際調査報告】
2020519814.tif 000012
2020519814.tif 000013
2020519814.tif 000014
2020519814.tif 000015